(57)【要約】【課題】  設置する場所の方角による自然条件に対応できる防風雪等の孔開きフェンスを提供する。【解決手段】  一対の柱10の間に水平に渡した細長い複数の横桟11と、複数の横桟11の間に垂直方向を長手方向とした孔開きの防風雪板20を並べて取り付けた孔開きフェンス１において、防風雪板20はその平面視で線対称な膨出部22と膨出部22の両端の直線取付部21とからなり、防風雪板20の直線取付部21を横桟11に固定し、線対称な膨出部22の片面のみに多数の透孔23を設けた。【選択図】図６
0003165310.tif 000002
【実用新案登録請求の範囲】
【請求項１】
一対の柱の間に水平に渡した細長い複数の横桟と、複数の横桟の間に垂直方向を長手方向とした孔開きの防風雪板を並べて取り付けた孔開きフェンスにおいて、防風雪板はその平面視で線対称な膨出部と膨出部の両端の直線取付部とからなり、防風雪板の直線取付部を横桟に固定し、線対称な膨出部の片面のみに多数の透孔を設けた防風雪等の孔開きフェンス。
【考案の詳細な説明】
【技術分野】
【０００１】
本考案は、鋼板製の孔開きフェンスにおいて、特に設置する場所の方角による自然条件（風・雪・砂・波・日射など）に対応する防風雪等の孔開きフェンスに関する。
【背景技術】
【０００２】
降雪地域では、冬季間の降雪時に一定方向の季節風（主に北から西にかけての風）が吹き、それを防ぐための家の周りの冬囲いが行なわれる。従来の冬囲いでは、春から秋にかけては日射や風通しの妨げとなるので取り外している。
【０００３】
また、道路や鉄道においても冬期間の風雪害を防ぐため、その北側から西側にかけて防風雪柵を設置している。この防風雪柵でも、春から秋にかけては景観に配慮して視認性を高めるため、取り外すことや折り畳むことが行なわれている。
【０００４】
しかし、それらを秋の終わりに設置し、春先に取り外すことや折り畳むことは煩わしい。フェンスを設置する場所の自然条件に対応可能とする機能を盛り込むことで、年中設置したままとすることを可能とした方が望ましい。
【０００５】
そこで、フェンスを設置する場所の自然条件に対応可能とする機能を有するものとして、横方向の鋸歯状膨出部を上下方向に多段に設けたフェンスの、鋸歯状膨出部の底面側のみに通風孔を設けた技術が、実公昭５４−３４４３７号公報、実開昭５５−８０４４５号公報、特開２００６−９０１１６号公報に示されている。
【０００６】
これらの考案等によれば、ある程度の通風性とその風向きを上方に偏向すること、視認を妨げる目隠し性、ある方向からは太陽光が差し込む日射性があるとされている。
【０００７】
また、縦方向の波状膨出部を左右方向に多段に設けたフェンスの、非平行面に水平方向のスリット状の孔を多数設けた技術が、特開２００２−８９０８６号公報に示されている。
【０００８】
この発明によれば、風の力を大きく受けないように風を抜き、目隠し効果が大きく、防風および防砂機能が向上するとされている。
【０００９】
また、縦方向の鋸歯状膨出部を左右方向に多段に設けた塀用パネルの、地面に対しておよび塀用パネル全体に対して垂直な垂直板部に多数の透孔を列設した技術が、特公昭５８−５７５９５号公報に示されている。
【００１０】
この発明によれば、目隠し性を保ちつつ透孔を介して通風が得られるとされている。
【００１１】
また、本出願人の創作に係る、線対称な膨出部の片面のみに多数の透孔を設けた技術が、意匠登録第１３９７１７３号公報、および意匠登録第１３９７１７４号公報に示されている。
【先行技術文献】
【特許文献】
【００１２】
【特許文献１】実公昭５４−３４４３７号公報
【特許文献２】実開昭５５−８０４４５号公報
【特許文献３】特開２００６−９０１１６号公報
【特許文献４】特開２００２−８９０８６号公報
【特許文献５】特公昭５８−５７５９５号公報
【特許文献６】意匠登録第１３９７１７３号公報
【特許文献７】意匠登録第１３９７１７４号公報
【考案の概要】
【考案が解決しようとする課題】
【００１３】
上記の、横方向の膨出部を有する実公昭５４−３４４３７号公報、実開昭５５−８０４４５号公報、特開２００６−９０１１６号公報に示される技術では、設置する場所の方角による自然条件に対応することはできない。
【００１４】
また、縦方向の膨出部を有する特開２００２−８９０８６号公報や特公昭５８−５７５９５号公報に示される技術では、ある程度の通風が得られことが示されているが、風・雪・砂・波・日射などの自然条件に対し、設置する場所の方角による自然条件にどのように対応するかは示されていない。
【００１５】
そこで本考案は、設置する場所の方角による自然条件に対応できる防風雪等の孔開きフェンスを提供することを目的とする。
【課題を解決するための手段】
【００１６】
請求項１の考案の防風雪等の孔開きフェンスは、一対の柱10の間に水平に渡した細長い複数の横桟11，12，13と、複数の横桟11，12，13の間に垂直方向を長手方向とした孔開きの防風雪板20を並べて取り付けた孔開きフェンス１において、防風雪板20はその平面視で線対称な膨出部22と膨出部22の両端の直線取付部21とからなり、防風雪板20の直線取付部21を横桟11，12，13に固定し、線対称な膨出部22の片面のみに多数の透孔23を設けたものである。
【考案の効果】
【００１７】
請求項１の考案によれば、防風雪板20はその平面視で線対称な膨出部22と膨出部22の両端の直線取付部21とからなり、防風雪板20の直線取付部21を横桟11，12，13に固定し、線対称な膨出部22の片面のみに多数の透孔23を設けたことにより、防風雪板20には風や光等が遮られる方向および通過・透過する方向性ができるから、例えば透孔23を南向きとして、設置する場所の方角による自然条件に対応できる。
【００１８】
また、防風雪板20はその平面視で線対称な膨出部22と膨出部22の両端の直線取付部21としたことにより、防風雪板20の上下を反対に取り付けることができるから、例えば防風雪板20の右側に透孔23を設けていたものでも上下を反対に取り付けて、設置する場所の方角による自然条件に対応できる。
【図面の簡単な説明】
【００１９】
【図１】図１は防風雪等の孔開きフェンスの実施例１を示す一部を切り欠いた正面図である。
【図２】図２は図１の側面図である
【図３】図３は図１の平面図である。
【図４】図４は図１の背面図である。
【図５】図５は図１の部分拡大図である。
【図６】図６は図５の部分拡大図である。
【図７】図７は図６のＡ−Ａ線に沿う断面図である。
【図８】図８は防風雪板の作用を示す図である。
【図９】図９は防風雪板の別な作用を示す図である。
【考案を実施するための形態】
【００２０】
設置する場所の方角による自然条件に対応できる防風雪等の孔開きフェンスを提供するという目的を、風や光等が遮られる方向および通過・透過する方向性ができる防風雪板20により実現した。
【実施例１】
【００２１】
図１は、本考案の実施例１に係る防風雪等の孔開きフェンス１である。
【００２２】
このフェンス１は、家屋・庭木・植林した幼木・道路・鉄道などを自然条件（風・雪・砂・波・日射など）に対応して保護するように設置される。
【００２３】
自然条件の季節風による地理的位置（例えば日本海側）が原因となる風・雪・砂・波などの影響はある程度方角が決まっている。しかし、冬期間以外は日射や暖かい風を通過させることにより土壌の過度な湿潤を防ぐことができる。
【００２４】
フェンス１は、地面Ｅ下に等間隔に埋設されるコンクリート基礎Ｂ上に柱10が垂直に固定される。所要の複数の柱10が列設され、一対の柱10の間に水平に渡した細長い複数の横桟11，12，13を固定する。
【００２５】
複数の横桟11，12，13は、一対の柱10の上端部間に渡した上部横桟11と、一対の柱10の中間部間に渡した中間部横桟12と、一対の柱10の下端部間に渡した下部横桟13とからなる。
【００２６】
この複数の横桟11，12，13の間に、垂直方向を長手方向とした孔開きの防風雪板20を並べて取り付ける。
【００２７】
防風雪板20は、その平面視で線対称な半円弧状に凸の膨出部22と、膨出部22の両端の直線取付部21とからなる。
【００２８】
防風雪板20は、その直線取付部21の取付孔24により横桟11，12，13に固定する。
【００２９】
防風雪板20の線対称な膨出部22の片面のみに、多数の円形な透孔23を設ける。
【００３０】
このとき、例えば透孔23を南向きとして防風雪板20を設置すると、図８に示すように冬期間以外は日射や暖かい風を通過させ、図９に示すように季節風の西風は遮られる。
【００３１】
以上の実施例では、平面視で線対称な膨出部22として半円弧状に凸の例を示したが、線対称な膨出部は意匠登録第１３９７１７３号公報に示されるように台形状に凸としても良い。
【００３２】
また、透孔23として円形な例を示したが、例えば楕円や多角形の孔としても良い。
【符号の説明】
【００３３】
１フェンス
10  柱
11  横桟としての上部横桟
12  横桟としての中間部横桟
13  横桟としての下部横桟
20  防風雪板
21  直線取付部
22  膨出部
23  透孔
【図１】
0003165310.tif 000003
【図２】
0003165310.tif 000004
【図３】
0003165310.tif 000005
【図４】
0003165310.tif 000006
【図５】
0003165310.tif 000007
【図６】
0003165310.tif 000008
【図７】
0003165310.tif 000009
【図８】
0003165310.tif 000010
【図９】
0003165310.tif 000011